(57)【要約】【課題】  被写体に照射したい光量確保に大きく影響を与えない場合に、照明装置を駆動する矩形波形に立ち上がり時間及び立ち下がり時間を設けて矩形波の高周波成分を抑える装置を提供する。【解決手段】  撮像装置の照明制御装置は、露光時間内の間一定電圧のオン状態を露光時間外の間オフ状態を保持し、オン状態からオフ状態への切り換え及びオフ状態から次のオン状態への切り換えが瞬時に行われる第１矩形波信号、または第１矩形波信号に対して一定の立ち上がり時間及び立ち下がり時間を有する第２矩形波信号の供給を受けることで被写体に向けた点灯を行う照明手段を備える。露光時間が一定時間より短い場合には第１矩形波信号を、露光時間が一定時間以上長い場合には第２矩形波信号を、照明手段に供給する信号供給手段を備える。【選択図】      図３
2005181793.tif 000002
【特許請求の範囲】
【請求項１】
露光時間内の間一定電圧のオン状態を露光時間外の間オフ状態を保持し、前記オン状態から前記オフ状態への切り換え及び前記オフ状態から次のオン状態への切り換えが瞬時に行われる第１矩形波信号、または前記第１矩形波信号に対して一定の立ち上がり時間及び立ち下がり時間を有する第２矩形波信号の供給を受けることで被写体に向けた点灯を行う照明手段と、
前記露光時間が一定時間より短い場合には前記第１矩形波信号を、前記露光時間が一定時間以上長い場合には前記第２矩形波信号を、前記照明手段に供給する信号供給手段とを備える撮像装置の照明制御装置。
【請求項２】
前記信号供給手段は、前記第１矩形波信号を発生させる矩形波信号発生手段と、前記第１矩形波信号を前記第２矩形波信号に変換する波形変換手段と、前記露光時間内に前記第１矩形波信号と前記第２矩形波信号のいずれかに切り換え、スイッチング部もしくは増幅部を介して前記照明手段に供給する信号切り換え手段とを有することを特徴とする請求項１に記載の照明制御装置。
【請求項３】
前記波形変換手段は、前記第１矩形波信号を逆位相に変換する反転増幅回路、及び前記第１矩形波信号の逆位相の信号を前記第２矩形波信号に変換する積分回路とを有することを特徴とする請求項２に記載の照明制御装置。
【請求項４】
前記反転増幅回路の有する第１オペアンプの出力端子は、前記積分回路の有する第２オペアンプの反転入力端子と接続され、前記第１オペアンプの非反転入力端子は、前記第２オペアンプの非反転入力端子と接続されることを特徴とする請求項３に記載の照明制御装置。
【請求項５】
前記一定時間は、１／８秒であることを特徴とする請求項１に記載の照明制御装置。
【請求項６】
前記照明手段はＬＥＤを備えることを特徴とする請求項１に記載の照明制御装置。
【請求項７】
前記スイッチング部、及び前記増幅部は、トランジスタを備えることを特徴とする請求項２に記載の照明制御装置。
【発明の詳細な説明】
【技術分野】
【０００１】
本発明は、撮像装置における照明制御装置に関し、特に長時間露光時における照明動作の改良に関する。
【背景技術】
【０００２】
従来、カメラなどの撮像装置で広く用いられてきた、キセノン管などのストロボ発光による照明装置に代わり、低電圧駆動が可能で回路構成が簡単なＬＥＤを使った照明装置が提案されている。
【０００３】
ＬＥＤを発光させる際、駆動信号が矩形波の場合、高周波成分が含まれるため、これにより電波障害の問題が発生する。
【０００４】
特許文献１は、液晶表示装置において、矩形波の高周波成分を抑えるべく、矩形波信号に立ち上がり時間及び立ち下がり時間を設け、光源の発光がその立ち上がりで徐々に増加し、立ち下がり付近で徐々に減少するように出力信号を制御する制御回路を開示する。
【特許文献１】特開２００２−０７２１６６号公報
【発明の開示】
【発明が解決しようとする課題】
【０００５】
しかし、特許文献１の装置では、撮像装置に使われる照明装置に使用すると、矩形波を形成するオフ時からオン時へ切り替わる立ち上がり時間及びオン時からオフ時へ切り替わる立ち下がり時間を一定期間要することによる光量の誤差が、被写体に照射したい光量確保に影響を与える場合が考えられる。
【０００６】
したがって本発明の目的は、被写体に照射したい光量確保に大きく影響を与えない場合に、照明装置を駆動する矩形波形に立ち上がり時間及び立ち下がり時間を設けて矩形波の高周波成分を抑える装置を提供することである。
【課題を解決するための手段】
【０００７】
本発明に係る撮像装置の照明制御装置は、露光時間内の間一定電圧のオン状態を露光時間外の間オフ状態を保持し、オン状態からオフ状態への切り換え及びオフ状態から次のオン状態への切り換えが瞬時に行われる第１矩形波信号、または第１矩形波信号に対して一定の立ち上がり時間及び立ち下がり時間を有する第２矩形波信号の供給を受けることで被写体に向けた点灯を行う照明手段と、露光時間が一定時間より短い場合には第１矩形波信号を、露光時間が一定時間以上長い場合には第２矩形波信号を、照明手段に供給する信号供給手段とを備える。これにより、露光時間が短い場合は所定の光量を確保しやすい第１矩形波信号による照明と、露光時間が長い場合は高周波成分のノイズの影響を受けにくい第２矩形波信号による照明とを切り換えて行うことが可能になる。
【０００８】
好ましくは、信号供給手段は、第１矩形波信号を発生させる矩形波信号発生手段と、第１矩形波信号を第２矩形波信号に変換する波形変換手段と、露光時間内に第１矩形波信号と第２矩形波信号のいずれかに切り換え、スイッチング部もしくは増幅部を介して照明手段に供給する信号切り換え手段とを有する。これにより、第１矩形波信号を変換して第２矩形波信号を照明手段に供給することが可能になる。
【０００９】
さらに好ましくは、波形変換手段は、第１矩形波信号を逆位相に変換する反転増幅回路、及び第１矩形波信号の逆位相の信号を第２矩形波信号に変換する積分回路とを有する。
【００１０】
さらに好ましくは、反転増幅回路の有する第１オペアンプの出力端子は、積分回路の有する第２オペアンプの反転入力端子と接続され、第１オペアンプの非反転入力端子は、第２オペアンプの非反転入力端子と接続される。
【００１１】
また、好ましくは、一定時間は、１／８秒である。
【００１２】
また、好ましくは、照明手段はＬＥＤを備える。
【００１３】
また、好ましくは、スイッチング部、及び増幅部は、トランジスタを備える。
【発明の効果】
【００１４】
以上のように本発明によれば、被写体に照射したい光量確保に大きく影響を与えない場合に、照明装置を駆動する矩形波形に立ち上がり時間及び立ち下がり時間を設けて矩形波の高周波成分を抑える装置を提供することが可能になる。
【発明を実施するための最良の形態】
【００１５】
以下、本発明の実施形態について、図を用いて説明する。図１は、本実施形態の照明制御装置を備える撮像装置１の背面からの斜視図である。図２は、撮像装置１の正面図である。図３は、撮像装置１の回路構成図である。図４は、図３の波形変換回路の回路構成図を示す。図５は、露光時間内外における波形の変化を示す。撮像装置１はデジタルカメラであるとして説明する。
【００１６】
撮像装置１の撮像に関する部分は、光学ファインダ１１、ＬＥＤオンボタン１２、レリーズボタン１４、連写ボタン１５、動画ボタン１６、ＬＣＤモニタ１７、及び照明用ＬＥＤ３１から構成される。光学ファインダ１１は、被写体像を光学的に観察可能な装置である。被写体像は、ＬＣＤモニタ１７によってもＣＣＤ（不図示）などの撮像素子から構成される撮像ブロック２２によって撮像された画像を表示させることができる。
【００１７】
ＬＥＤオンボタン１２は、押下することによってＬＥＤオンスイッチ１２ａがオン状態にされ露光時などに照明用ＬＥＤ３１を点灯させる。レリーズボタン１４は、半押しすることにより測光スイッチ１３ａがオン状態にされ測光や測距及び合焦動作が行われ、全押しすることによりレリーズスイッチ１４ａがオン状態にされ撮像が行われる。連写ボタン１５は、押下することにより連写スイッチ１５ａがオン状態にされ、レリーズスイッチ１４ａがオン状態にされている間、１秒間に３コマなど時間的に連続して複数の被写体が撮像される。動画ボタン１６は、レリーズスイッチ１４ａがオン状態にされている間、記録するフレーム間隔で被写体が撮像される。
【００１８】
照明用ＬＥＤ３１は、周囲が暗い場合などに露光タイミングに合わせて露光時間内の間点灯して被写体に適当な光量を供給する照明装置である。照明用ＬＥＤ３１は、ＣＰＵ２１から出力される第１矩形波信号または第１矩形波信号が波形変換回路３４によって変換された第２矩形波信号により駆動する。第１、第２矩形波信号は、ともにパルス振幅Ｖｃｃで、露光時間の間一定電圧Ｖｃｃのオン状態（Ｈｉ信号）が、露光時間外の間オフ状態（Ｌｏ信号）が保持される矩形波信号である。第１矩形波信号は、オフ時からオン時に切り替わる立ち上がり時間及びオン時からオフ時に切り替わる立ち下がり時間がなく瞬時に行われる（矩形波形の傾斜が急である）のに対して、第２矩形波信号は、一定の立ち上がり時間ｄｄ及び立ち下がり時間ｄｄを有する（矩形波形の傾斜の傾斜が緩やか）。
【００１９】
第１矩形波信号は、露光時間開始に合わせてオフ状態（Ｌｏ信号）から、一定電圧Ｖｃｃのオン状態（Ｈｉ信号）に瞬時に切り替わり、露光時間終了に合わせて一定電圧Ｖｃｃのオン状態（Ｈｉ信号）から、オフ状態（Ｌｏ信号）に瞬時に切り替わる波形を有する。第２矩形波信号は、露光時間開始に合わせてオフ状態（Ｌｏ信号）から、一定時間ｄｄかけて一定電圧Ｖｃｃのオン状態（Ｈｉ信号）に切り替わり、露光時間終了に合わせて一定電圧Ｖｃｃのオン状態（Ｈｉ信号）から一定時間ｄｄかけてオフ状態（Ｌｏ信号）に切り替わる波形を有する。
【００２０】
照明用ＬＥＤ３１に供給される第２矩形波信号は、ＣＰＵ２１のポートＰ２０から出力される第１矩形波信号が波形変換回路３４によって変換されて得られる。照明用ＬＥＤ３１が使用される場合、ＣＰＵ２１のポートＰ２０は、撮像動作が行われる露光時間内の間パルス振幅Ｖｃｃでオン状態（Ｈｉ信号）、露光時間外の間オフ状態（Ｌｏ信号）の第１矩形波信号を出力する。照明用ＬＥＤ３１が使用されない場合、ＣＰＵ２１のポートＰ２０は第１矩形波信号を形成するＬｏ信号を出力する。従って、ＣＰＵ２１は矩形波信号発生機能を有する。
【００２１】
第１矩形波信号と、第１矩形波信号が変換されて得られた第２矩形波信号は、信号切り換え部３５の制御によってそのいずれかが照明用ＬＥＤ３１に供給される。信号切り換え部３５の構成は後述する。
【００２２】
本実施形態では、使用者がＬＥＤオンスイッチ１２ａをオン状態にさせた時に強制的に照明用ＬＥＤ３１を点灯させる形態を説明するが、測光によって得られた露光値から自動的に点灯させる形態であってもよい。
【００２３】
これらのスイッチの入力信号に対応する各種の出力はＣＰＵ２１によって制御される。ＣＰＵ２１の入出力信号を図３の回路構成図で説明する。ＬＥＤオンスイッチ１２ａ、測光スイッチ１３ａ、レリーズスイッチ１４ａ、連写スイッチ１５ａ、動画スイッチ１６ａのオン／オフ情報は、それぞれ１ビットのデジタル信号としてＣＰＵ２１のポートＰ１２、Ｐ１３、Ｐ１４、Ｐ１５、Ｐ１６に入力される。撮像ブロック２２、被写体の測光動作を実行して露光値を演算し、この露光値に基づき撮影に必要となる絞り値及び露光時間を演算するＡＥ部２３、及び測距を行い測距結果に基づき撮影に必要となる合焦動作を行うＡＦ部２４は、それぞれポートＰ３、Ｐ４、Ｐ５で信号の入出力が行われる。
【００２４】
ＣＰＵ２１のポートＰ２０では、第１矩形波信号を第２矩形波信号に変換する波形変換回路３４と、照明用ＬＥＤ３１を点灯させる信号を第１矩形波信号か第２矩形波信号かを切り換えする信号切り換え部３５とが接続される。ＣＰＵ２１のポートＰ２１では信号切り換え部３５が接続される。ＣＰＵ２１は、ポートＰ２０から第１矩形波信号を出力し、波形変換回路３４に入力された第１矩形波信号は第２矩形波信号に変換される。第１矩形波信号、第２矩形波信号のいずれかが、後述する信号切り換え部３５の状態に応じて、照明用ＬＥＤ３１に供給される。ＣＰＵ２１は、ポートＰ２１からＨｉまたはＬｏ信号を出力し、Ｈｉ出力の場合には第２矩形波信号を、Ｌｏ出力の場合には第１矩形波信号を照明用ＬＥＤ３１に供給する。第１矩形波信号は、信号切り換え部３５の第１スイッチ３５ａから点灯回路３６、制限抵抗３２を介して照明用ＬＥＤ３１に入力される。波形変換回路３４によって第１矩形波信号から変換された第２矩形波信号は、信号切り換え部３５の第２スイッチ３５ｂから電流制限抵抗３３、トランジスタＴｒ１、制限抵抗３２を介して照明用ＬＥＤ３１に入力される。
【００２５】
ポートＰ２１が出力するＨｉ、Ｌｏ信号の切り換えは、露光時間の長さに応じて行われる。露光時間が一定時間Ｔよりも短い場合はＬｏ信号、一定時間Ｔ以上長い場合はＨｉ信号が出力される。一定時間Ｔは１／８秒に設定されるのが望ましいが他の長さであってもよい。
【００２６】
波形変換回路３４は、反転増幅回路３４１と積分回路３４２から構成される。反転増幅回路３４１は、パルス振幅Ｖｃｃの第１矩形波信号（図５のｉｎ時の波形）を、逆位相に変換する（図５の（ａ）の波形）。積分回路３４２は、第１矩形波信号の逆位相の信号を、立ち上がり時間ｄｄ及び立ち下がり時間ｄｄを有する第２矩形波信号に変換する（図５のｏｕｔ時の波形）。
【００２７】
反転増幅回路３４１は、抵抗Ｒ１１、Ｒ１２と第１オペアンプ３４１０とを有し、入力される第１矩形波信号に対して、同パルス振幅で逆位相になるように構成される。第１オペアンプ３４１０には電源電圧Ｖｃｃが印加される。第１オペアンプ３４１０の反転入力端子には抵抗Ｒ１１を介して入力信号である第１矩形波信号が入力される。第１オペアンプ３４１０の非反転入力端子は、１／２Ｖｃｃの電源に接続される。また、後述する積分回路３４２の第２オペアンプ３４２０の非反転入力端子に接続される。第１オペアンプ３４１０の出力端子からは、第１矩形波信号の逆位相の信号が出力される。また第１オペアンプ３４１０の出力端子は、Ｒ１２を介して第１オペアンプ３４１０の反転入力端子に接続され、また後述する積分回路３４２の抵抗Ｒ２を介して第２オペアンプ３４２０の反転入力端子に接続される。
【００２８】
積分回路３４２は、抵抗Ｒ２とコンデンサＣと第２オペアンプ３４２０とを有し、入力される第１矩形波信号の逆位相の信号に対して、出力される第２矩形波信号は同一パルス振幅でかつ立ち上がり時及び立ち下がり時に傾斜を有する台形波形になるように構成される。第２オペアンプ３４２０には電源電圧Ｖｃｃが印加される。第２オペアンプ３４２０の反転入力端子には抵抗Ｒ２を介して入力信号である第１矩形波信号の逆位相の信号が入力される。第２オペアンプ３４２０の非反転入力端子は反転増幅回路３４１の第１オペアンプ３４１０の非反転入力端子に接続される。第２オペアンプ３４２０の出力端子からは、第２矩形波信号が出力される。また、第２オペアンプ３４２０の出力端子は、コンデンサＣを介して第２オペアンプ３４２０の反転入力端子に接続される。
【００２９】
信号切り換え部３５は、第１、第２スイッチ３５ａ、３５ｂとインバータ３５ｃで構成される。第１、第２スイッチ３５ａ、３５ｂは、入力されるＨｉ信号に対応してオン状態に、Ｌｏ信号に対応してオフ状態に切り替わるスイッチである。インバータ３５ｃは、ＣＰＵ２１のポートＰ２１からの出力がＨｉの場合はＬｏ出力を、Ｌｏの場合はＨｉ出力を行う反転回路である。従って、ＣＰＵ２１のポートＰ２１からＬｏ出力がされている場合には、インバータ３５ｃによりＨｉ信号が入力される第１スイッチ３５ａがオン状態になり、ポートＰ２０から出力される第１矩形波信号が点灯回路３６、制限抵抗３２を介して照明用ＬＥＤ３１に入力される。ＣＰＵ２１のポートＰ２１からＨｉ出力がされている場合には、Ｈｉ信号が入力される第２スイッチ３５ｂがオン状態になり、ポートＰ２０から出力され波形変換回路３４で変換された第２矩形波信号が電流制限抵抗３３、トランジスタＴｒ２、制限抵抗３２を介して照明用ＬＥＤ３１に入力される。
【００３０】
点灯回路３６は、トランジスタＴｒ１とバイアス抵抗３６ａ、３６ｂで構成される。トランジスタＴｒ１は、照明用ＬＥＤ３１に供給される第１矩形波信号をスイッチングするように接続されたＮＰＮトランジスタで、ベースが抵抗３６ａ、信号切り換え部３５を介してＣＰＵ２１に接続されている。トランジスタＴｒ１のエミッタは接地され、コレクタは制限抵抗３２を介して照明用ＬＥＤ３１のカソードに接続される。照明用ＬＥＤ３１のアノードには、電源Ｖｃｃが接続される。抵抗３６ｂは、ベースとエミッタの間に接続される。
【００３１】
トランジスタＴｒ２は、照明用ＬＥＤ３１に供給される第２矩形波信号を増幅するように接続されたＮＰＮトランジスタで、ベースが電流制限抵抗３３、信号切り換え部３５、波形変換回路３４を介してＣＰＵ２１に接続されている。トランジスタＴｒ２のエミッタは接地され、コレクタは制限抵抗３２を介して照明用ＬＥＤ３１のカソードに接続される。従って、ＣＰＵ２１と波形変換回路３４と信号切り換え部３５と点灯回路３６と電流制限抵抗３３とトランジスタＴｒ２と制限抵抗３２は、露光時間の長さに応じて第１、第２矩形波信号のいずれかを照明用ＬＥＤ３１に供給する信号供給機能を有する。
【００３２】
測光スイッチ１３ａをオン状態にすることにより（レリーズボタン１４を半押し）、ポートＰ１３にオン信号が入力されると、ＣＰＵ２１は、ＡＥ部２３のＡＥセンサ（不図示）を駆動し、被写体光の測光動作を実行して露光値を演算し、この露光値に基づき撮影に必要となる絞り値及び露光時間を演算する。また、ＣＰＵ２１は、ＡＦ部２４のＡＦセンサ（不図示）を駆動し、測距を行う。この測距結果に基づきＡＦ部２４のレンズ制御回路（不図示）を駆動しレンズ位置を光軸方向に変位させ焦点距離調節を行う。
【００３３】
レリーズスイッチ１４ａをオン状態にすることにより（レリーズボタン１４を全押し）、ポートＰ１４にオン信号が入力されると、ＣＰＵ２１は、撮像動作を行う。すなわち上述した絞り値に応じて絞り機構（不図示）を駆動し、シャッタ機構（不図示）を所定のシャッタ速度でレリーズ駆動し、ＣＣＤなどの撮像ブロック２２を駆動し露光を行う。
【００３４】
レリーズスイッチ１４ａがオン状態にあり、かつＬＥＤオンスイッチ１２ａがオン状態にされ、ポートＰ１２、Ｐ１４にオン信号が入力されていると、露光時間内においてＣＰＵ２１のポートＰ２０から第１矩形波信号を形成するＨｉ信号が出力され、ポートＰ２１からＨｉまたはＬｏ信号が出力される。露光時間が一定時間Ｔ以上の長秒時の場合は、ポートＰ２１からＨｉ出力がされ、露光時間が一定時間Ｔよりも短い場合は、ポートＰ２１からＬｏ出力がされる。Ｈｉ出力がされている長秒時の場合は、第２スイッチ３５ｂがオン状態にされ、第１スイッチ３５ａがオフ状態にされるので、第２スイッチ３５ｂを経由した第２矩形波信号が照明用ＬＥＤ３１に供給される。Ｌｏ出力がされている長秒時でない場合は、第２スイッチ３５ｂがオフ状態にされ、第１スイッチ３５ａがオン状態にされるので、第１スイッチ３５ａを経由した第１矩形波信号が照明用ＬＥＤ３１に供給される。第１、第２矩形波のいずれかの信号が、照明用ＬＥＤ３１を点灯させる。
【００３５】
レリーズスイッチ１４ａがオン状態にあり、かつ連写スイッチ１５ａがオン状態にされ、ポートＰ１４、Ｐ１５にオン信号が入力されていると、ＣＰＵ２１は、レリーズスイッチ１４ａのオン状態が継続されている間、一定間隔で撮像すなわちシャッタ機構のレリーズ駆動、撮像ブロック２２の駆動、及び露光が行われる。従って、ＣＰＵ２１は、被写体の撮像を時間的に連続して二回以上行わせる連写制御機能を有する。連写スイッチ１５ａではなく、動画スイッチ１６ａがオン状態にされ、ポートＰ１４、Ｐ１６にオン信号が入力されていると、ＣＰＵ２１は、レリーズスイッチ１４ａのオン状態が継続されている間、記録するフレーム間隔で撮像ブロック２２の駆動、及び露光が行われる。
【００３６】
レリーズスイッチ１４ａがオン状態にあり、かつＬＥＤオンスイッチ１２ａ、及び連写スイッチ１５ａがともにオン状態にされている場合は、露光時間内においてＣＰＵ２１のポートＰ２０から第１矩形波信号を形成するＨｉ信号が出力され、ポートＰ２１からＨｉまたはＬｏ信号が出力される。露光時間の長さに応じて、照明用ＬＥＤ３１を駆動させる信号を、第１、第２矩形波信号のいずれかに設定するかについては、連写スイッチ１５ａがオン状態にされていない場合と同様である。
【００３７】
露光時間が一定時間Ｔよりも短い場合に照明用ＬＥＤ３１の駆動に使用される第１矩形波信号は、立ち上がり時間及び立ち下がり時間が短く瞬時に一定電圧Ｖｃｃのオン状態、オフ状態の切り換えが行われるので、照明用ＬＥＤ３１は発光のオンオフの切り換わりが早い。すなわち、照明用ＬＥＤ３１の点灯は瞬時に明るくなり、消灯は瞬時に暗くなる。そのため、被写体に照射したい光量を確保するのに適している。但し、高周波成分が含まれる第１矩形波信号では、電源ラインのノイズや周辺回路へのノイズの影響、突入電流が生じるおそれがある。
【００３８】
一方、露光時間が一定時間Ｔ以上長い場合に照明用ＬＥＤ３１の駆動に使用される第２矩形波信号は、立ち上がり時間ｄｄ及び立ち下がり時間ｄｄを有するので、照明用ＬＥＤ３１の発光のオンオフの切り換えが遅い。すなわち、照明用ＬＥＤ３１の点灯は一定時間ｄｄをかけて徐々に明るくなり、消灯は一定時間ｄｄをかけて徐々に暗くなる。そのため、第１矩形波信号に比べて高周波成分が除去されているので、電源ラインのノイズや周辺回路へのノイズの影響、突入電流を低減させることができる。また、露光時間に対する立ち上がり時間ｄｄの長さの割合が小さいので、立ち上がり時間ｄｄ及び立ち下がり時間ｄｄの発光タイムラグは、被写体に照射したい光量を確保するのに大きく影響しない。
【００３９】
レリーズスイッチ１４ａがオン状態にあり、かつＬＥＤオンスイッチ１２ａ、及び動画スイッチ１６ａがともにオン状態にされている場合は、前述のレリーズスイッチ１４ａがオン状態にあり、かつＬＥＤオンスイッチ１２ａと連写スイッチ１５ａがオン状態にされている場合と同様に、露光時間内においてＣＰＵ２１のポートＰ２０から第１矩形波信号を形成するＨｉ信号が出力され、ポートＰ２１からＨｉまたはＬｏ信号が出力される。
【００４０】
連写時（連写スイッチ１５ａがオン状態）における露光時間内外の照明用ＬＥＤ３１の点灯制御を図６のフローチャートで説明する。
【００４１】
ステップＳ１１で、撮像装置１の電源がオンにされると、ステップＳ１２で、測光スイッチ１３がオン状態にされたか否かを判断する。測光スイッチ１３ａがオン状態にされていない場合にはステップＳ１２を繰り返す。測光スイッチ１３ａがオン状態にされている場合は、ステップＳ１３で、ＡＥ部２３のＡＥセンサ駆動により測光が行われ、ステップＳ１４で絞り値や露光時間が演算される。次に、ステップＳ１５で、ＡＦ部２４のＡＦセンサが駆動され測距が行われ、ＡＦ部２４のレンズ制御回路駆動により合焦動作が行われる。ステップＳ１１〜Ｓ１４までの初期状態では、ポートＰ２０、Ｐ２１から出力される信号はＬｏである。
【００４２】
ステップＳ１６で、レリーズスイッチ１４ａがオン状態にされたか否かを判断する。レリーズスイッチ１４ａがオン状態にされていない場合には、ステップＳ１７で測光スイッチ１３ａがオン状態にされたか否かを判断する。ステップＳ１７の判断で測光スイッチ１３ａがオン状態にされている場合はステップＳ１６に戻る。ステップＳ１７の判断で測光スイッチ１３ａがオン状態にされていない場合は、ステップＳ１２に戻る。ステップＳ１６の判断で、レリーズスイッチ１４ａがオン状態にされている場合は、ステップＳ１８で、ＬＥＤオンスイッチ１２ａがオン状態にされているか否かを判断する。オン状態にされている場合は、ステップＳ１９で、ステップＳ１４の測光演算の結果の露光時間が一定時間Ｔ以上長いか否かを判断する。一定時間Ｔ以上長い場合すなわち長秒時の場合はステップＳ２０でＣＰＵ２１のポートＰ２０からＨｉ信号（第１矩形波信号）、ポートＰ２１からＨｉ信号が出力され、ステップＳ２２で、照明用ＬＥＤ３１が第２矩形波信号により点灯した状態でＣＣＤの電荷蓄積すなわち露光が行われる。一定時間Ｔより短い場合すなわち長秒時でない場合はステップＳ２１でＣＰＵ２１のポートＰ２０からＨｉ信号（第１矩形波信号）、ポートＰ２１からＬｏ信号が出力され、ステップＳ２２で、照明用ＬＥＤ３１が第１矩形波信号により点灯した状態でＣＣＤの電荷蓄積すなわち露光が行われる。ステップＳ１８で、ＬＥＤオンスイッチ１２ａがオン状態にされていない場合は、ステップＳ１９〜Ｓ２１を介さず、ポートＰ２０、Ｐ２１から出力される信号はＬｏのままで、ステップＳ２２で、照明用ＬＥＤ３１が点灯していない状態でＣＣＤの電荷蓄積すなわち露光が行われる。
【００４３】
露光時間終了後、ステップＳ２３で、ＣＰＵ２１のポートＰ２０、Ｐ２１から出力される信号がいずれもＬｏにされる。すなわち照明用ＬＥＤ３１は消灯される。ステップＳ２４で、ＣＣＤ入力、すなわち露光時間内の間ＣＣＤに蓄積された電荷が移動せしめられ、ステップＳ２５で、移動された電荷が撮像ブロック２２によって撮像された画像信号として撮像装置１内の映像メモリに記憶される。ステップＳ２６で、記憶された画像信号は、ＬＣＤモニタ１７によって表示される。
【００４４】
ステップＳ２７で、連写スイッチ１５ａがオン状態にされているか否かを判断する。連写スイッチ１５ａがオン状態にされている場合は、ステップＳ１６に戻り、次の露光が行われる。連写スイッチ１５ａがオン状態にされていない場合は、ステップＳ２８で、一連の連写時における露光時間内の照明用ＬＥＤ３１の点灯制御は終了する。
【００４５】
図６のフローチャートは、連写時だけでなく動画撮像時（動画スイッチ１６ａがオン状態）における照明用ＬＥＤ３１の点灯制御にも置き換えることが可能である。
【００４６】
本実施形態では、照明装置はＬＥＤの発光によるものとして説明したが、矩形波駆動で、露光時間内に照明させる他の発光部材であってもよい。
【００４７】
本発明の実施形態として、撮像装置１は、撮像素子により被写体を撮像するデジタルカメラの形態を説明したが、銀塩カメラであっても同様の効果が得られる。
【図面の簡単な説明】
【００４８】
【図１】本実施形態の撮像装置の外観を示す背面からみた斜視図である。
【図２】撮像装置の正面図である。
【図３】撮像装置の回路構成図である。
【図４】波形変換回路の回路構成図である。
【図５】波形変換回路の各部における信号の波形の変化を示す。
【図６】連写時における露光時間内と露光時間内外にＬＥＤを点灯制御するフローチャートである。
【符号の説明】
【００４９】
１  撮像装置
１１  光学ファインダ
１２  ＬＥＤオンボタン
１４  レリーズボタン
１５  連写ボタン
１６  動画ボタン
１７  ＬＣＤモニタ
２２  撮像ブロック
２３  ＡＥ部
２４  ＡＦ部
３１  照明用ＬＥＤ
３４  波形変換回路
３５  信号切り換え部
３６  点灯回路
【図１】
2005181793.tif 000003
【図２】
2005181793.tif 000004
【図３】
2005181793.tif 000005
【図４】
2005181793.tif 000006
【図５】
2005181793.tif 000007
【図６】
2005181793.tif 000008